(57)【要約】【課題】  本発明が解決しようとする課題は、停電時における患者の不安を和らげ、患者およびオペレータの安全を十分に確保することができる医用診断装置を提供することである。【解決手段】  上記課題を解決するために、実施形態の医用診断装置は、患者について医用画像の撮影を行う撮影部と、前記患者を載置させる天板と、前記天板を支持する寝台と、を備え、前記撮影部、前記天板、前記寝台のいずれかにおける所定の部位に蓄光部材を備える。【選択図】図１０
2014147485.tif 000002
【特許請求の範囲】
【請求項１】
患者について医用画像の撮影を行う撮影部と、
前記患者を載置させる天板と、
前記天板を支持する寝台と、
を備え、
前記撮影部、前記天板、前記寝台のいずれかにおける所定の部位に蓄光部材を備える医用診断装置。
【請求項２】
前記所定の部位は、寝台の外面あるいは縁である請求項１に記載の医用診断装置。
【請求項３】
前記所定の部位は、天板の外面あるいは縁である請求項１又は２に記載の医用診断装置。
【請求項４】
前記撮影部は、ガントリと前記ガントリの外側に突出するように設置された単数あるいは複数の検出器を備え、
前記所定の部位は前記検出器の面あるいは縁である請求項１乃至３のうちいずれか一つに記載の医用診断装置。
【請求項５】
前記撮影部は、ガントリと前記患者及び前記天板を出し入れするための開口部を備え、
前記所定の部位は前記開口部の壁面あるいは入口周辺である請求項１乃至３のうちいずれか一つに記載の医用診断装置。
【発明の詳細な説明】
【技術分野】
【０００１】
本発明の実施形態は、医用診断装置に関する。
【背景技術】
【０００２】
近年、地震や台風といった自然災害の頻発から防災・減災への関心が高まっている。医療施設は、自然災害などが原因で通常電源が使用できなくなった場合に備えて予備バッテリなどの予備電源を保有しており、有事の際、即座に電力の供給源を通常電源から予備電源に切り替えるといった災害対策システムを備えているのが一般的である。例えば、医用診断装置による検査中に停電が発生した場合、通常の室内照明に代って予備電源による非常灯が点灯するようになっている。この非常灯の灯りによって、医用診断装置のオペレータは、安全に患者を医用診断装置から退避させることができる。特許文献１では、このような非常灯の点灯に伴う予備電源への切り替えについて説明している。
【先行技術文献】
【特許文献】
【０００３】
【特許文献１】特開２００３−２０４９４８号公報
【発明の概要】
【発明が解決しようとする課題】
【０００４】
しかしながら、従来のように予備電源を用いた非常灯は、結局のところ外部電源に依存しており、故障などが原因で予備電源が使用できない場合においては、検査中に停電が起こったにもかかわらず非常灯を点灯させることができない。そのため、検査に対する緊張に加え、いつまで経っても非常灯が点灯しないという不安から、患者がパニックを起こしてしまう可能性がある。また、その結果として、患者を医用診断装置から退避させる際に、患者が医用診断装置に接触したり、患者が寝台から転落したりといった二次災害を引き起こしてしまいかねない。
【０００５】
本発明が解決しようとする課題は、停電時における患者の不安を和らげ、患者およびオペレータの安全を十分に確保することができる医用診断装置を提供することである。
【課題を解決するための手段】
【０００６】
上記課題を解決するために、実施形態の医用診断装置は、患者について医用画像の撮影を行う撮影部と、前記患者を載置させる天板と、前記天板を支持する寝台と、を備え、前記撮影部、前記天板、前記寝台のいずれかにおける所定の部位に蓄光部材を備える。
【図面の簡単な説明】
【０００７】
【図１】実施形態におけるＳＰＥＣＴ装置の斜視図。
【図２】実施形態における検出器の構成図。
【図３】実施形態におけるコリメータとカバーの斜視図。
【図４】実施形態におけるＳＰＥＣＴ装置のガントリの斜視図。
【図５】実施形態におけるＳＰＥＣＴ装置のガントリの正面図。
【図６】実施形態における検出器の正面図。
【図７】実施形態における寝台及び天板の斜視図。
【図８】実施形態におけるＳＰＥＣＴ装置のガントリの正面図２。
【図９】実施形態における検出器の平面図。
【図１０】実施形態におけるＳＰＥＣＴ装置の斜視図２。
【図１１】実施形態におけるＣＴ装置のガントリの斜視図。
【発明を実施するための形態】
【０００８】
以下、本発明の実施形態について図面を参照しながら説明する。
【０００９】
本実施形態では、核医学診断装置のひとつであり、３つの検出器を有する３検出器タイプのＳＰＥＣＴ装置を例として説明する。
【００１０】
一般的に、ＳＰＥＣＴ装置とは、放射線同位元素で標識した化合物や放射性医薬品（トレーサ）を患者に投与し、トレーサから放出されたガンマ線（フォトン）を検出して画像化する装置である。
【００１１】
図１は、本実施形態におけるＳＰＥＣＴ装置の斜視図である。本実施形態におけるＳＰＥＣＴ装置は、撮影部として検出器１ａ、検出器１ｂ、検出器１ｃ、ガントリ２、を備え、ガントリ２は、操作パネル５、開口部入口６を備える。また、本実施形態におけるＳＰＥＣＴ装置は、当該撮影部とは別に、寝台３、天板４、図示しないコンソールを備え、天板４は取手７を備える。当該コンソールは、図示しないデータ処理部、図示しないデータ保管部、図示しない操作部、図示しない表示部を有する。図１において、天板４の長手方向に対して垂直で紙面右側に向かう方向がｘ方向、天板４の長手方向に対して垂直で紙面上側に向かう方向がｙ方向、ｘ方向及びｙ方向と垂直でガントリ２の位置に対して寝台３側に向かう方向がｚ方向である。なお、図１のｘ方向、ｙ方向、ｚ方向を用いた座標系は、図２以降についても同様に適用される。
【００１２】
図２は、本実施形態における検出器１ａの構成図である。検出器１ａは、コリメータ１１、シンチレータ１２、ライトガイド１３、ＰＭＴ１４、カバー１５、を有する。ＰＭＴとは、「Ｐｈｏｔｏｍｕｌｔｉｐｌｉｅｒ  ｔｕｂｅ」の略称である。検出器１ａの全体は遮光されており、側面はガンマ線が入射しないように図示しない鉛シールドが施されている。なお、検出器１ｂ及び検出器１ｃも同様の構成である。
【００１３】
図３は、本実施形態におけるコリメータ１１とカバー１５の斜視図である。コリメータ１１は、図３に示すように格子状に分割された構造をしており、カバー１５を透過し格子面に対して略垂直に入射するガンマ線のみを通過させる。なお、カバー１５は、ガンマ線を十分に透過させることができる部材から成る。コリメータ１１を通過したガンマ線は、図２に示すようなシンチレータ１２によって光に変換される。シンチレータ１２で発生した光は、ライトガイド１３を経由してＰＭＴ１４に入射され、ＰＭＴ１４によって電気信号に変換される。この電気信号はデータ処理部に送られる。データ処理部は、ＰＭＴから受け取った電気信号に基づいて画像を生成する。この画像は、コンソール内のハードディスクなどのデータ保管部に保管され、コンソールに設けられたキーボードやマウスなどの操作部を介したオペレータの操作によって表示部に表示される。
【００１４】
図４及び図５は、図１におけるガントリ２の斜視図及び正面図である。本実施形態におけるＳＰＥＣＴ装置は、図４及び図５に示すように検出器１ａ、検出器１ｂ、検出器１ｃの３つの検出器を備えている。図５に示す通り、検出器１ａ、検出器１ｂは、検出器１ｃは、矢印Ｐ、矢印Ｑ、矢印Ｒの方向に移動可能に指示されており、尚且つ、点Ｏを中心として回動可能に支持されている。これらの移動および回動は、ガントリ２の内部に設けられたモータなどの図示しない検出器動作機構によって行われる。なお、検出器１ａ、検出器１ｂ、検出器１ｃの矢印Ｐ、矢印Ｑ、矢印Ｒ方向への移動は、例えば、後述するように患者の診断部位に応じて検出器を配置するために行われ、検出器１ａ、検出器１ｂ、検出器１ｃの点Ｏを中心とした回動は、全ての回動角度からガンマ線を検出し画像を生成するために行われる。
【００１５】
検出器１ａ、検出器１ｂ、検出器１ｃは、患者内のトレーサから放出されるガンマ線を可能な限り多く検出するために、患者に接触しない程度に接近させる必要がある。図６（ａ）と図６（ｂ）は、患者の頭部が検出器１ａ、検出器１ｂ、検出器１ｃに囲まれた空間に位置するときと、患者の胸部が検出器１ａ、検出器１ｂ、検出器１ｃに囲まれた空間に位置するときの検出器１ａ、検出器１ｂ、検出器１ｃの正面図である。例えば、患者の頭部を撮影するときは、図６（ａ）に示す通り、検出器１ａと検出器１ｂとが互いに近づくように配置させる。一方で、患者の胸部を撮影するときは、図６（ｂ）に示す通り、検出器１ａ、検出器１ｂ、検出器１ｃがそれぞれ遠ざかるように配置させる。
【００１６】
寝台３は自身の上部に天板４を支持する。天板４は寝台３が有するモータなどの図示しない天板移動機構によって、図１におけるｘ方向、ｘ方向の逆の方向、ｙ方向、ｙ方向の逆の方向、ｚ方向、ｚ方向の逆の方向に移動可能である。
【００１７】
上述した検出器動作機構による検出器１ａ、検出器１ｂ、検出器１ｃの移動および回動と、天板移動機構による天板４の移動は、例えば、操作パネル５に備えられている図示しない操作ボタンをオペレータが押下することで行われる。また、天板４のｚ方向及びｚ方向の逆の方向の移動については、オペレータが取手７を掴んでｚ方向に引っ張ったり、ｚ方向の逆の方向に押したりすることで、手動での操作が可能である。
【００１８】
以上、ＳＰＥＣＴ装置の構成と機能について簡単に説明したが、これらの詳細は本実施形態と深く関係しないため割愛する。
【００１９】
本実施形態では、ＳＰＥＣＴ装置の所定の部位に蓄光塗料を塗布する。
【００２０】
図７は、本実施形態における寝台３及び天板４の斜視図である。図７に示すように、寝台３は、天板支持部２１、中間部２２、基台部２３を有する。本実施形態では、天板支持部２１においてｘ方向及びｘ方向の逆の方向を向いた面を面Ａ、天板支持部２１においてｙ方向を向いた面を面Ｂ、天板支持部２１においてｚ方向を向いた面をＣ、基台部２３においてｙ方向を向いた面を面Ｄ、基台部２３においてｘ方向及びｘ方向の逆の方向を向いた面を面Ｅ、基台部２３においてｚ方向を向いた面を面Ｆ、取手７においてｚ方向を向いた面を面Ｇ、天板４においてｙ方向を向いた面を面Ｈとする。
【００２１】
例えば、面Ａ、面Ｂ、面Ｃに蓄光塗料が塗布されている場合、停電時において天板支持部２１の表面が光ることになるため、患者とオペレータは天板支持部２１の輪郭を視覚的に把握することができる。これによって、オペレータが寝台３から患者を退避させる際に、誤って患者が寝台３から転落してしまうことを防ぐことが可能になる。
【００２２】
面Ｄ、面Ｅ、面Ｆに蓄光塗料が塗布されている場合、停電時において基台部２３の表面が光ることになるため、患者は基台部２３の位置を視覚的に把握することができ、間接的に床の位置を把握することができる。これによって、例えばオペレータの誘導に従って患者が寝台３から降りる際に、患者は足を挫いたりすることなく着地することができる。
【００２３】
面Ｇに蓄光塗料が塗布されている場合、停電時において取手７の表面が光ることになるため、オペレータは取手７の位置を視覚的に把握することができる。これによって、オペレータは確実に取手７を掴むことができるため、検出器１ａ、検出器１ｂ、検出器１ｃの間の空間に位置する天板４を手動で引き出す際に、オペレータが天板支持部２１と天板４の間に指を挟んでしまうといった事故を防ぐことができる。
【００２４】
面Ｈに蓄光塗料が塗布されている場合、停電時において天板４の患者が位置していない部分は光ることになり、天板４の患者が位置している部分は患者の影になる。これによって、オペレータは、天板４上の患者の位置を視覚的に把握することができる。
【００２５】
図８は、ガントリ２の正面図である。図８に示すように、検出器１ａ、検出器１ｂ、検出器１ｃの開口部入口６側の側面で、尚且つ、カバー１５側の縁部分をそれぞれ縁Ｉ、縁Ｊ、縁Ｋとする。
【００２６】
また、図９は、カバー１５の方向から見た検出器１ａの平面図であり、この平面での検出器１ａの縁部分を縁Ｌとする。なお、検出器１ｂと検出器１ｃについても同様に縁部分を縁Ｌとする。
【００２７】
通常、ＳＰＥＣＴ装置の検出器１ａ、検出器１ｂ、検出器１ｃは、図５あるいは図８に示すように、矢印Ｐ、矢印Ｑ、矢印Ｒの方向に移動し、点Ｏを中心として回動するため、これらの移動および回動中に停電になってしまった場合、検出器１ａ、検出器１ｂ、検出器１ｃの正確な位置をオペレータあるいは患者が把握できない可能性がある。
【００２８】
縁Ｉ、縁Ｊ、縁Ｋに蓄光塗料が塗布されている場合、停電時において検出器１ａ、検出器１ｂ、検出器１ｃの開口部入口６側の側面で、尚且つ、カバー１５側の縁部分が光ることになるため、オペレータは、検出器１ａ、検出器１ｂ、検出器１ｃの正確な位置関係を視覚的に把握することができる。これによって、検出器１ａ、検出器１ｂ、検出器１ｃの間の空間から天板４及び患者を出す際に、患者を検出器１ａ、検出器１ｂ、検出器１ｃにぶつけることなく安全に退避させることができる。
【００２９】
また、縁Ｌに蓄光塗料が塗布されている場合、停電時において検出器１ａ、検出器１ｂ、検出器１ｃの患者側の面の縁部分が光ることになり、検出器１ａ、検出器１ｂ、検出器１ｃの間の空間内にいる患者が、検出器１ａ、検出器１ｂ、検出器１ｃの輪郭を視覚的に把握することができる。これによって、検出器１ａ、検出器１ｂ、検出器１ｃにぶつからないように患者自身が気をつけることができる。また、オペレータも検出器１ａ、検出器１ｂ、検出器１ｃの輪郭を把握することができるため、検出器１ａ、検出器１ｂ、検出器１ｃの間の空間から天板４及び患者を出す際に、患者を検出器１ａ、検出器１ｂ、検出器１ｃにぶつけることなく安全に退避させることができる。
【００３０】
図１０（ａ）と図１０（ｂ）は、ＳＰＥＣＴ装置が設置されている検査室内の照明が通常通り点灯している時における本実施形態のＳＰＥＣＴ装置の斜視図と、停電時における本実施形態のＳＰＥＣＴ装置の斜視図である。なお、図１０（ａ）及び図１０（ｂ）のＳＰＥＣＴ装置の面Ａ、面Ｂ、面Ｃ、面Ｄ、面Ｅ、面Ｆ、面Ｇ、面Ｈ、縁Ｉ、縁Ｊ、縁Ｋ、縁Ｌに相当する部位には、全て蓄光塗料を塗布しているものとする。図１０（ｂ）からわかるように、蓄光塗料を寝台３、天板４、検出器１ａ、検出器１ｂ、検出器１ｃに塗布することで、患者及びオペレータが、停電時においても寝台３、天板４、検出器１ａ、検出器１ｂ、検出器１ｃ、の位置関係を視覚的に把握することができる。これによって、停電時における患者の不安を低減することができ、患者は安全に装置から退避することができる。また、停電時におけるオペレータの不安も低減することができ、オペレータはより安全性の高い退避誘導を行うことができる。なお、本実施形態は、検出器が一つあるいは複数備わっているＳＰＥＣＴ装置であれば適用できる。
【００３１】
上述した部分以外にも蓄光塗料を塗布することで、効果的な作用が期待できる。例えば、１検出器タイプや２検出器タイプのＳＰＥＣＴ装置の場合、３検出器タイプのＳＰＥＣＴ装置に比べて検出器が非常に大きい。そのため、頭部撮影を行う目的で患者の頭部を検出器の中心に位置するように固定させると、患者の視線の移動だけでは図９に示すような縁Ｌに塗布された蓄光塗料の光などを確認できなくなる可能性がある。その場合、カバー１５全体に蓄光塗料を塗布したり、カバー１５の中心に蓄光塗料で印をつけたりする。これによって、患者の頭部撮影を行っているときに停電が起こった場合おいても、患者は容易に検出器の位置を把握することができる。
【００３２】
検出器１ａ、検出器１ｂ、検出器１ｃの開口部入口６側の側面に塗布する位置は、カバー１５側の縁部分の縁Ｉ、縁Ｊ、縁Ｋではなく、開口部入口６側の側面全体であっても良い。更に、寝台３における蓄光塗料の塗装位置が、例えば面Ａと面Ｂの間の辺といった縁部分でも良い。このように、蓄光塗料の塗布範囲を変えることによって、停電時の明るさを調整することができる。
【００３３】
また、本実施形態では、寝台３、天板４、検出器１ａ、検出器１ｂ、検出器１ｃに蓄光塗料を塗布する場合を説明したが、別の部位に蓄光塗料を塗布しても良い。例えば、停電時においてガントリ２の輪郭を視覚的に把握できるように、ガントリ２の表面や縁部分に蓄光塗料を塗布した場合、停電時においてガントリ２の表面や縁が光ることになる。これによって、停電時において患者及びオペレータがガントリ２と接触することを防止できる。
【００３４】
更に、本実施形態はＳＰＥＣＴ装置以外の医用診断装置にも適用できる。
【００３５】
図１１は一般的なＣＴ装置のガントリの斜視図である。通常、ＣＴ装置のガントリの中央には開口部７が設けられている。図１１のＣＴ装置や図示しないＰＥＴ装置の場合、検出器はガントリの内部に設置されており、本実施形態のＳＰＥＣＴ装置のようにガントリの外側に検出器が突出するようなことはない。また、図示しないＭＲ装置についても、コイルはガントリ内部に設置されているため、ガントリの外側に突出するような構造物は無い。このような医用診断装置の場合、図１１に示すような、開口部７の壁面Ｎや開口部入口６の周辺Ｍに蓄光塗料を塗布する。これによって、本実施形態のＳＰＥＣＴ装置の例と同様の効果が期待できる。
【００３６】
また、本実施形態をＳＰＥＣＴ装置に適用させる場合においても、例えば、検出器と患者の間にカバーを設け、患者から直接検出器が見えないようにすることもある。この場合、前述した開口部入口６や開口部７のように、カバーの縁や内壁に蓄光塗料を塗布することで、停電時においてオペレータや患者がカバーの正確な位置を把握することができる。
【００３７】
なお、本実施形態では蓄光塗料を用いた場合を述べたが、面Ａ、面Ｂ、面Ｃ、面Ｄ、面Ｅ、面Ｆ、面Ｇ、面Ｈ、縁Ｉ、縁Ｊ、縁Ｋ、縁Ｌなどの部位が蓄光機能を有する蓄光材料から成っていても良い。この場合、塗装部分の磨耗によって塗装が剥げてしまうといった心配がなくなる。
【００３８】
以上、本発明の実施形態を説明したが、これらの実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１ａ、１ｂ、１ｃ・・・検出器
２・・・ガントリ
３・・・寝台
４・・・天板
５・・・操作パネル
６・・・開口部入口
７・・・開口部
１１・・・コリメータ
１２・・・シンチレータ
１３・・・ライトガイド
１４・・・ＰＭＴ
１５・・・カバー
２１・・・天板支持部
２２・・・中間部
２３・・・基台部
【図１】
2014147485.tif 000003
【図２】
2014147485.tif 000004
【図３】
2014147485.tif 000005
【図４】
2014147485.tif 000006
【図５】
2014147485.tif 000007
【図６】
2014147485.tif 000008
【図７】
2014147485.tif 000009
【図８】
2014147485.tif 000010
【図９】
2014147485.tif 000011
【図１０】
2014147485.tif 000012
【図１１】
2014147485.tif 000013